(57)【要約】【課題】  本願発明は、メモリに記憶された、使用者が測定した複数の測定結果のうち消去したい測定結果のみを消去することができる血圧計を提供することを目的とする。【解決手段】  本発明は、血圧測定をして測定データをメモリに記憶し、後に前記測定データを前記メモリから読み出して表示部に表示する血圧計に関し、被験者の血圧を測定する血圧測定手段と、血圧測定によって得られた測定データを表示部に表示する表示手段と、血圧測定手段によって得られた複数の測定データをメモリに記憶する記憶手段と、メモリに記憶されている複数の測定データの中から任意の測定データを選択するための選択手段と、選択手段によって選択された任意の測定データのみを、消去指示に従ってメモリから消去する消去手段を備えることにより、上記目的を達成する。【選択図】  図９
2005224440.tif 000002
【特許請求の範囲】
【請求項１】
血圧測定をして測定データをメモリに記憶し、後に前記測定データを前記メモリから読み出して表示部に表示する血圧計であって、
被験者の血圧を測定する血圧測定手段と、
前記血圧測定によって得られた測定データを前記表示部に表示する表示手段と、
前記血圧測定手段によって得られた複数の測定データをメモリに記憶する記憶手段と、
前記メモリに記憶されている前記複数の測定データの中から任意の測定データを選択するための選択手段と、
前記選択手段によって選択された前記任意の測定データのみを、消去指示に従って前記メモリから消去する消去手段と、
を備えることを特徴とする血圧計。
【請求項２】
前記メモリは複数の使用領域に分割されており、
前記記憶手段は、前記複数の測定データを所定条件に基づいて、前記複数の使用領域に振り分けて記憶させることを特徴とする請求項１に記載の血圧計
【請求項３】
さらに、前記複数の使用領域を切り替えるための切替手段を備え、
前記記憶手段は、前記切替手段の指示に従って、前記複数の測定データを前記複数の使用領域のいずれかに記憶することを特徴とする請求項２に記載の血圧計。
【請求項４】
さらに、前記複数の測定データの平均値を算出する平均値算出手段を備え、
前記表示手段は、前記平均値および前記複数の測定データを順次前記表示部に表示することを特徴とする請求項１乃至３のいずれか１項に記載の血圧計。
【請求項５】
前記選択手段によって前記平均値が選択され、前記消去指示がなされた場合には、前記消去手段は、前記メモリに記憶され、前記平均値算出に寄与する前記複数の測定データの全てを消去することを特徴とする請求項４に記載の血圧計。
【請求項６】
前記表示手段は、前記選択手段によって選択された前記任意の測定データを前記表示部に点滅表示させ、
前記消去手段は、前記任意の測定データが点滅表示している間に前記消去指示が入力された場合のみ、前記任意の測定データを前記メモリから消去することを特徴とする請求項１乃至５のいずれか１項に記載の血圧計。
【請求項７】
血圧測定をして測定データをメモリに記憶し、後に前記測定データを前記メモリから読み出して表示部に表示する血圧計であって、
被験者の血圧を測定する血圧測定手段と、
前記血圧測定によって得られた測定データを前記表示部に表示する表示手段と、
前記メモリは複数の使用領域に分割され、この使用領域を切り替えるための切替手段と、
前記血圧測定手段によって得られた複数の測定データを、前記切替手段によって切り替えられた前記使用領域に記憶する記憶手段と、
前記記使用領域に記憶されている前記複数の測定データの中から任意の測定データを選択し、この任意の測定データを前記表示部に点滅表示させるようにする選択手段と、
前記選択手段によって選択された前記任意の測定データのみを、消去指示に従って前記メモリから消去する消去手段と、
を備えることを特徴とする血圧計。
【発明の詳細な説明】
【技術分野】
【０００１】
本発明は、最高血圧及び最低血圧を記憶、表示する血圧計に関し、例えば、好ましくは、複数の系統に切り替える切替スイッチを有し、この切替スイッチを用いて系統を切り替えながら測定データを記憶させ、呼び出す血圧計に関するものである。
【背景技術】
【０００２】
図１は、特開２００２−２７２６８６号公報に開示されている従来の血圧計の表示部における表示内容を示す図である。
【０００３】
図１において、血圧計本体に設けられた表示部１０は、最高血圧値及び最低血圧値を表示する血圧値表示部１０ａと、日時を表示する日時表示部１０ｂと、使用者識別記号"Ａ"又は"Ｂ"を表示する使用者表示部１０ｃとを有する。血圧計本体に設けられたスライド式の使用者切替えスイッチ１６は、使用者Ａ又はＢ毎に切り替えるもので、両側に使用者識別記号２１、２２として"Ａ"、"Ｂ"が記されている。測定された血圧値をメモリに記憶する前又は後に、その測定された血圧値に係る使用者Ａ又はＢの識別記号、即ち切替えスイッチ１６で切り替えた側の識別記号"Ａ"又は"Ｂ"を使用者表示部１０ｃに点滅表示する。
【０００４】
このように従来の血圧計表示において、現在Ａ又はＢのどちらの使用者についての血圧測定かを表示し、使用者に知らせることができるので、使用者は自分自身のメモリ領域に確実に測定結果を記憶させることができ、別のメモリ領域に血圧値が間違って記憶された場合でも気づくことができる。
【０００５】
そして、各使用者は、自分のメモリ領域に所望回数分の測定結果を記憶させ、自分の血圧の推移傾向を分析することができる。
【特許文献１】特開２００２−２７２６８６号公報
【発明の開示】
【発明が解決しようとする課題】
【０００６】
しかしながら、上述の血圧計については、メモリ領域に記憶された複数の測定結果を消去する場合は全ての結果を一度に消去するしかなく、メモリ領域に記憶させた複数の測定結果のうちある測定結果だけを消去する必要がある場合に対応するということが出来なかった。つまり、血圧計は一般的に、測定中に腕を動かしたとか、血圧計カフの巻き方が悪いとか、カフを巻いた腕の位置の高低等の測定条件によって、血圧計の測定値が異常な値を示す場合もある。このような場合に、その異常結果のみを消去したい場合があるが、上述の血圧計では異常結果のみならず、残しておきたい結果も消去してしまわなければならないのである。
【０００７】
これでは、今までの測定が無駄なものとなってしまい、使用者にとって非常に使い勝手が悪いという欠点があった。
【０００８】
本願発明は上記問題点を鑑みて為されたものであり、メモリに記憶された、使用者が測定した複数の測定結果のうち消去したい測定結果のみを消去することができる血圧計を提供することを目的とする。
【課題を解決するための手段】
【０００９】
上記の問題を解決するために、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記血圧測定手段によって得られた複数の測定データをメモリに記憶する記憶手段と、前記メモリに記憶されている前記複数の測定データの中から任意の測定データを選択するための選択手段と、前記選択手段によって選択された前記任意の測定データのみを、消去指示に従って前記メモリから消去する消去手段と、を備えることを特徴とする。
【００１０】
また、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記メモリは複数の使用領域に分割され、この使用領域を切り替えるための切替手段と、前記血圧測定手段によって得られた複数の測定データを、前記切替手段によって切り替えられた前記使用領域に記憶する記憶手段と、前記記使用領域に記憶されている前記複数の測定データの中から任意の測定データを選択し、この任意の測定データを前記表示部に点滅表示させるようにする選択手段と、前記選択手段によって選択された前記任意の測定データのみを、消去指示に従って前記メモリから消去する消去手段と、を備えることを特徴とする。
【００１１】
さらに、その他の本発明の特徴は、以下の発明を実施するための最良の形態の記載及び添付図面により明らかになるものである。
【発明の効果】
【００１２】
本願発明によれば、メモリの特定領域に記憶された不要な測定データのみを個別に、簡単な操作で消去することができる。
【発明を実施するための最良の形態】
【００１３】
以下、図面を参照して本発明を実施するための最良の形態について詳細に説明する。
【００１４】
＜血圧計の使用態様について＞
図２は、使用者１が本発明に係る血圧計１００を使用して血圧を測る様子を示す図である。図２に示されるように、測定時には腕帯（カフ）と心臓の高さを同じにすることが大切である。また、測定時には手のひらを上に向け、カフの下端部はひじよりも２〜３ｃｍ上に成るようにし、さらにチューブ１０６は腕の中心に来るようにすることが正確に血圧を測るためには必要とされる条件となる。この条件を満足しない場合には、血圧測定結果が異常な値を示す場合があるので、注意が必要となる。
【００１５】
なお、本発明の実施形態によれば、このような異常な測定結果が得られたとしても、後述のデータ消去方法に従ってその異常値のみを消去できるので従来の血圧計に比べて使い勝手がよく、測定を必ず成功させなければならないという使用者１が感じるストレスも少ないものとなる。よって、よりリラックスして血圧を測定することが可能となる。
【００１６】
＜血圧計の外観について＞
図３は、本実施形態に係る血圧計１００の外観を示す図である。１０１は記憶呼出キーであり、過去に測定したデータをメモリ（図４のＥＥＰＲＯＭ２１１）から読み出して表示部１０４に表示するときに押下して使用するキーである。１０２は開始／停止キーであり、測定を開始するときや測定を停止するとき、さらにはメモリに格納されている過去の測定データを消去するとき等、に用いられる。１０３は記憶切替スイッチ（切替手段）であり、これを切り替えることによって複数の使用領域に分割されたメモリのメモリ領域を切り替えることができる。例えば、Ａに切替スイッチが切り替わっている場合には使用者Ａの測定データ、Ｂに切替スイッチが切り替わっている場合には使用者Ｂの測定データをそれぞれのメモリ領域に記憶する。また、例えば、使用者Ａについて朝のデータをメモリ領域Ａに、晩のデータをメモリ領域Ｂに記憶するような使い方をしてもよい。なお、本実施形態では、Ａ・Ｂ２つの領域を切り替えるような例が示されているが、本発明はこれに限られたものではなく、メモリ領域はいくつ設けてもよい。また、切替スイッチ１０３は機構的に切り替えるように設定されているが、押下式スイッチにして押下する度にメモリ領域を切り替え、選択内容（使用者Ａ、Ｂ、Ｃ・・・若しくは、朝、昼、晩、又、運動前、運動後や飲酒前、飲酒後、降圧剤服用後等）を表示部１０４に表示するようにして、様々な使用者の使用態様に対応できるようにしても良い。
【００１７】
表示部１０４は、例えば液晶ディスプレイで構成されている。１０５は腕帯（カフ）であり、測定時には使用者１の左上腕部に巻きつけられる。また、この腕帯１０５のチューブ１０６は腕帯コネクタ接続部１０７を介して本体１００と接続されており、本体からチューブ１０６を介して腕帯１０５に空気が送られて加圧したり、空気を抜いて減圧したりといった動作が実行される。１０８は、血圧計１００を使用しないときに腕帯１０５を収納するための腕帯ケースであり、さらにはこのケースは本体電源である乾電池（図示せず）のカバーを兼ねている。１０９はＡＣアダプタ接続部であり、本体１００を乾電池ではなく、ＡＣ電源によって駆動させる場合にＡＣアダプタが接続される。
【００１８】
＜基本構成ブロックについて＞
図４は本実施形態の基本構成を示すブロック図である。本実施形態に係る血圧計１００は、使用者の要部(例えば、上腕)２に装着して阻血するカフ１０５と、カフ１０５内の加圧袋の圧力を上昇させる加圧手段（加圧ポンプ）２０１と、カフ１０５内の圧力を徐々に降下させる排気手段２０２と、カフ１０５内の圧力を電気信号に変換する圧力センサー２０３と、 圧力センサー２０３出力中に含まれる高周波雑音をカットするローパスフィルタ２０４と、ローパスフィルタ２０４の出力をサンプリングしてデジタル値に変換するＡ／Ｄコンバータ２０５と、データ処理部２０６と、表示手段１０４を備えている。
【００１９】
そして、データ処理部２０６は、徐々排気期にＡ／Ｄコンバータ２０５より出力される圧力値(デジタル値)から動脈脈波値Ｖをデジタル演算により抽出する動脈脈波抽出手段２０７ａおよび圧力値から動脈脈波を除去したカフ圧値Ｐをデジタル演算により抽出するカフ圧抽出手段２０７ｂを備えた圧力情報分離手段２０７と、演算プログラムや各種テーブル等を格納しているＲＯＭ２０８ａと、圧力情報分離手段２０７にて抽出した脈波に対応する動脈脈波値Ｖおよびカフ圧値Ｐを対データとして有限個数(例えば、１０対)だけ所定の記憶領域に記憶するＲＡＭ２０８ｂと、血圧決定部２０９と、カフ圧をモニタするカフ圧モニタ２１２と、排気手段２０２の排気速度をモニタする排気速度モニタ２１３を有している。これらのモニタ結果も表示部１０４に表示される。
【００２０】
血圧決定部２０９は、前述の記憶呼出キー１０１、開始／停止キー１０２、切替スイッチ１０３、ＣＰＵ２１０、ＥＥＰＲＯＭ２１１、血圧判定手段２１４を備えている。このＥＥＰＲＯＭ２１１は複数のメモリ領域に分割されており、切替スイッチ１０３によって使用するメモリ領域が切り替えられ、そして、血圧測定結果がそれぞれのメモリ領域に格納されるようになっている。
【００２１】
ＣＰＵ２１０は、ＲＡＭ２０８ｂに記憶されたデータを適宜読出し、ＲＯＭ２０８ａに格納されている演算プログラムに従って比較演算する。また、ＣＰＵ２１０は記憶呼出キー１０１からの指示および切替スイッチの指定に基づいて、ＥＥＰＲＯＭ２１１の所定のメモリ領域から血圧測定結果を読み出して表示部１０４に表示する。また、開始／停止キー１０２からの指示に従って、ＣＰＵ２１０は血圧の測定を開始したり、停止したり等する。
【００２２】
血圧判定手段２１４は、ＣＰＵ２１０からの演算結果に基づいて最高、最低血圧値及び脈拍を判定し、その判定値を血圧測定結果としてＥＥＰＲＯＭ２１１の切替スイッチ１０３で指定されたメモリ領域に格納する。
【００２３】
血圧判定手段２１４における最高血圧判定は、動脈脈波値Ｖが動脈脈波値Ｖの最大値Ｖmaxに所定比率αを乗じた判定境界値Ｖａを最初に越え始める時期を最高血圧時期としてその時期のカフ圧値Ｐを最高血圧値と判定するように形成されている。なお、本実施形態にあっては、上記最高血圧判定は、ＲＡＭ２０８ｂに記憶されている動脈脈波値Ｖをカフ圧値Ｐの小さい順に判定境界値と比較し、所定の複数回数連続して動脈脈波値Ｖが大きくなる時期を最高血圧時期と判定する時期判定にて形成されている。
【００２４】
＜血圧計の動作について＞
以下、図５乃至図９を用いて血圧計の動作について説明する。なお、各図の動作を司っているのは、ＣＰＵ２１０である。
【００２５】
まず、図５のフローチャートを用いて、血圧計１００によって血圧を測定する際の加圧動作について説明する。
【００２６】
ステップＳ３０１で開始／停止キー１０２が押されると、直ぐにステップＳ３０２に移行し、そこでセルフチェック動作が行われる。このセルフチェック動作は、表示部１０４の確認のため全表示にし、液晶表示が正常か否かをチェクし、また時刻表示を消灯する。そして次のタイミングで排気マークを表示させて圧力をゼロにセットする（ゼロアジャスト動作）。ゼロアジャストが終了すると排気マークを消灯させ、処理がステップＳ３０３に移行する。なお、このセルフチェック動作は約４秒間行われる。
【００２７】
ステップＳ３０３では、加圧マークが表示部１０４に表示され、カフに対する加圧動作が開始される。
【００２８】
ステップＳ３０４では、所定時間Ｔ１（例えば、５秒）加圧を継続し、Ｔ１時間経過後、ステップＳ３０５に移行し、その時点での圧力が１ｍｍＨｇ未満か否かが判断される。つまり、ここでは、加圧しているのにも拘わらず圧力が上がっていないか否かが判断される。圧力が１ｍｍＨｇ未満でない場合、つまり最低ラインの圧力はクリアしている場合には処理はステップＳ３０６に移行し、１ｍｍＨｇ未満である場合には処理はステップＳ３１１に移行する。
【００２９】
ステップＳ３０６において、さらに所定時間Ｔ２（例えば、２０秒）加圧を継続し、Ｔ２時間経過後、ステップＳ３０７においてその時点での圧力が５０ｍｍＨｇ未満か否かが判断される。圧力が５０ｍｍＨｇ未満であれば処理はステップＳ３１１に移行し、５０ｍｍＨｇ未満でなければ処理はステップＳ３０８に移行する。
【００３０】
ステップＳ３０８においては、加圧中の脈波（血管の振動の振幅）が検出され、さらに加圧値の演算され及び決定される。そして、ステップＳ３０９においてその加圧値が強制終了の条件に合致するか否かが判断される。圧力値が強制終了条件に合致する場合には、血圧測定動作自体が終了する（Ｂ）。強制終了条件に合致しない場合には、圧力値が正常ということで、処理はステップＳ３１０に移行し、加圧処理が終了する。ここで、強制終了条件とは、ステップＳ３０８で決定された加圧値が血圧測定するには低く過ぎたり（例えば、１４０ｍｍＨｇ未満）、高過ぎたり（例えば、３００ｍｍＨｇ）する場合である。なお、強制終了する場合には、強制終了の表示（マーク又は警告文言）を表示部１０４に表示してもよい。
【００３１】
ステップＳ３０５又はステップＳ３０７で「ＹＥＳ」の場合には、処理がステップＳ３１１に移行し、表示部１０４にエラー表示（例えば、ＥＲＲ）が表示される。そしてステップＳ３１２では、今まで加圧されてある程度膨らんだカフ１０５の加圧分の空気が排気される。その後（ステップＳ３１３で）、再計測する場合には処理はステップＳ３０１に戻り、再計測しない場合には血圧測定動作自体を終了する（Ｂ）。
【００３２】
＜血圧測定動作＞
続いて、血圧測定動作について図６のフローチャートを用いて説明する。
【００３３】
加圧処理が終了すると（Ａ）、ステップＳ４０１において減圧が開始される。減圧開始後、ステップＳ４０２では、脈波があるか否かが判断され、有ると判断された場合には、処理はステップＳ４０３に移行し、ないと判断された場合には処理はＳ４０５に移行する。
【００３４】
ステップＳ４０３においては、脈波があった場合にそれを示す「脈波マーク：例えばハートマーク」を表示部１０４に表示する。そして、ステップＳ４０４において、その脈波情報をＲＡＭ２０８ｂに格納する。
【００３５】
ステップＳ４０５では、今の圧力状態で充分か、つまり加圧不足か否かが判断され、加圧不足であると判断されると処理はステップＳ４１０に移行し、加圧不足でないと判断されれば処理はステップＳ４０６に移行する。
【００３６】
ステップＳ４０６では、最高血圧、最低血圧及び脈拍数が決定される。そして、ステップＳ４０７において、血圧値（最高／最低血圧値）、脈拍数、及び測定時刻が表示部１０４に測定結果として表示される。
【００３７】
さらに、ステップＳ４０８で、測定された結果（最高・最低血圧値、脈拍）及び測定時刻がＥＥＰＲＯＭ２１１（切替スイッチ１０３で選択されているものに対応するメモリ領域）に格納される。
【００３８】
正常にステップＳ４０８までの動作が実行されれば、ステップＳ４０９でカフの空気が排気され、血圧測定処理が終了する。
【００３９】
なお、ステップＳ４０５で加圧不足の場合にはステップＳ４１０に移行するが、そこでは加圧値が３００ｍｍＨｇより大きいか否かが判断される。大きい場合にはエラー表示され（Ｓ４１４）、測定が終了する（Ｂ）。一方、小さい場合には、処理はステップＳ４１１に移行して再加圧される、ステップＳ４１２でさらに圧力が３３０ｍｍＨｇ以上か否かが判断される。３３０ｍｍＨｇ以上である場合には圧力が異常に高いため、ステップＳ４１４でエラー表示され、測定が終了する。また、圧力が３３０ｍｍＨｇ未満の場合には、ステップＳ４１３で加圧処理が停止され（Ｃ）、再度脈波の有無の判断（Ｓ４０２）以降の処理が繰り返される。
【００４０】
以上のような血圧測定処理によって測定された測定結果は順次ＥＥＰＲＯＭ２１１の選択された領域に記憶される。
【００４１】
＜記憶データの表示動作について＞
続いて、図７のフローチャート及び図８の概念図を用いて、ＥＥＰＲＯＭに記憶された過去の測定データを表示する場合の処理について説明する。
【００４２】
ステップＳ５０１において、表示したいＥＥＰＲＯＭ２１１のメモリ領域が選択される。つまり、切替スイッチ１０３のＡかＢかの選択により、使用者Ａの測定データか又はＢの測定データかの選択がなされる。なお、前述の通り、使用態様により朝晩のデータの選択を行う等、使用者にとって様々な用法が考えられる。切替スイッチ１０３の数は、ＡＢの２つに限らず、それ以上であってもよいことは既に述べた。ここでは具体的にスイッチ「Ａ」（メモリ領域Ａ）が選択されたと想定する。
【００４３】
次にステップＳ５０２において、記憶呼出キー１０１が押されたか否かが判断され、押された場合にはステップＳ５０３において、メモリ領域Ａに測定データが記憶されているかが判断され、無い場合には終了する。
【００４４】
ステップＳ５０４では、メモリ領域Ａに記憶データがある場合には記憶値が表示される。最初の表示の場合で、かつ複数データが記憶されている場合には、その平均値が表示部１０４に表示される。
【００４５】
そして、ステップＳ５０５において、記憶呼出キー１０１が所定時間（例えば、１８秒間）操作（押下）されなかったかが判断され、未操作のまま所定時間経過してしまった場合にはには表示部１０４上の表示が消去され、処理が終了する。
【００４６】
また、ステップＳ５０６において、所定時間経過前に、さらに記憶されているデータがあるか否かが判断され、無い場合には処理は終了するが、まだある場合にはステップ５０７でメモリ内のポインタがインクリメントされ、再度の記憶呼出キー１０１の操作と共に、新しいデータから順番に表示部に表示されるようにステップＳ５０２乃至Ｓ５０７の処理が繰り返される。
【００４７】
以上の処理を概念的に表した図が図８である。図８Ａに示されるように、メモリ領域Ａにはｎ個の測定データが記憶されている。また、メモリ領域Ａには複数個の測定データが記憶されているので、平均値が演算されてその値も記憶されている。一方、メモリ領域Ｂには１つの測定データのみが記憶されている。
【００４８】
メモリ領域Ａの測定データを表示する場合、最初の記憶呼出キー操作によって、平均値Ａｖが表示部１０４に表示される。次の記憶呼出キー操作によって、最新のデータ（１）から順に最古のデータ（ｎ）まで表示部１０４に表示される。そして、ｎまで表示されると、最初の平均値Ａｖに戻って表示される。
【００４９】
＜記憶データの消去動作について＞
図９は、ＥＥＰＲＯＭ２１１のメモリ領域に記憶されている測定データのうち、特定のデータのみを消去する動作を説明するフローチャートである。
【００５０】
ステップＳ６０１において、所定のメモリ領域（Ａ又はＢ）が選択されている場合に、記憶呼出キー１０１が操作されたことが検知される。なお、ここでは領域Ａが選択されているものとする。
【００５１】
続いてステップＳ６０２において、測定データが領域Ａにあるか否かが判断され、無い場合には当然処理は終了する。データがある場合には処理はステップＳ６０３に移行する。
【００５２】
ステップＳ６０３においては、ステップＳ６０１の記憶呼出キー１０１の操作が所定時間の（例えば、４秒間）長押しであるかが判断される。この長押し動作は、特定データ消去のトリガーとなるものである。長押しされた場合には処理は、ステップＳ６０７に移行し消去動作に入る。なお、最初の記憶呼出キー操作によって平均値Ａｖが表示部に表示されているので、この段階で長押しされれば、メモリ領域Ａに記憶されている全データの消去動作を行うことになる。このように、消去したいデータを使用者に選択させることができるので、不用意なデータの消去を防止できる。
【００５３】
ステップＳ６０４では、記憶されているデータが表示される。最初の表示内容は図８で示されるように平均値Ａｖ又は最新データ（データが１個しかない場合）である。そして、ステップＳ６０５において、表示されたデータがメモリ領域Ａに記憶されている最後のデータかが判断され、最後のデータの場合には処理は終了し、まだデータがある場合にはメモリのポインタがインクリメントされ（Ｓ６０６）、次のデータについての処理の準備がなされる。
【００５４】
このように、メモリ領域Ａに記憶されているデータのうち、消去したいデータが表示されるまでステップＳ６０１乃至Ｓ６０６の処理が繰り返される。
【００５５】
一方、消去したいデータが表示されればステップＳ６０３で記憶呼出キー１０１が長押しされ、処理は消去動作に入る。長押しされると、現在表示中の測定データが点滅し始める。この間もずっと長押しが継続されていなければならない。記憶呼出キー１０１が押されなくなると点滅が停止し、その場合、処理はステップＳ６０４に戻るようになっている。
【００５６】
ステップＳ６０７においては、この表示データ点滅状態で、消去の指示が使用者より入力されたかが判断される。使用者としては、例えば消去対象データを間違えた場合等には消去指示を入力することはないので、処理はステップＳ６０４に戻り、所望のデータが表示されるまでステップＳ６０１乃至Ｓ６０６の動作が繰り返される。ここで、消去の指示は、消去対象の表示データが点滅した状態が継続している間（例えば、８秒間）に記憶呼出キー１０１を押し続けながら開始／停止キー１０２を押すことである。このように消去すべき測定データを点滅表示させるのは、使用者に「消去する対象の測定データ」であることを喚起し、誤って消去してしまうような事態を防止するためである。
【００５７】
このような消去指示が入力されると、ステップＳ６０８でその表示中（点滅中）のデータが消去され、時刻表示に戻る。そして、消去動作自体が終了する。
【００５８】
なお、消去指示は上述の方法に限らない。つまり、長押しされて点滅表示が始まった場合、記憶呼出キー１０１を押しつづけなくても一旦点滅が始まれば点滅は停止されないようにし（点滅継続時間は設けても良い）、その状態で開始／停止キー１０２を押すことによってデータが消去されるようにしても良い。
【００５９】
また、記憶呼出キー１０１を押しつづけながら、点滅状態で開始／停止キー１０２を押して、さらにキー１０１と１０２を同時に離した場合にデータが表示されるようにしても良い。
【００６０】
さらに、図９には示されていないが、消去指示が入力されずに記憶呼出キー１０１のみが必要以上に長押しされた場合（例えば、１２秒間）には、消去の意思が無いものと見なして表示部１０４の表示を時刻表示に戻すようにしても良い。
【００６１】
以上のように、本実施形態によれば、測定データを、メモリ領域を用途に応じて切り替えて記憶するようにし、異常な測定結果が得られた場合等、特定の測定データのみを消去することができるので、また、従来の血圧計とは異なり、データを消去する場合には全測定データをしなければならないということは無いので、過去の測定データが無駄になることなく、使用者の使い勝手が非常に向上したものとなっている。
【００６２】
なお、測定データが異常であるかどうかの判断は基本的には使用者に委ねられるが、例えば、今までの測定平均値Ａｖよりも上下１０％の範囲を逸脱する場合にはその測定値は何らかの理由により正確に測定できなかったとして、測定データが異常であることを示す「異常マーク：例えば！マーク」を表示部１０４に表示して使用者に喚起するようにしてもい。このような表示があれば、消去する際の消去対象の目安にもなるので便利である。  また、本実施形態に係るデータ消去方法は、本実施形態で示したオシロメトリック方式の血圧計のみならず、コロトコフ音式血圧計等、如何なる電子血圧計にも適用できるものである。
【００６３】
さらに、血圧値の表示は、ｍｍＨｇだけでなく、ｋＰａ表示への切替も可能とすることができる。
【００６４】
＜その他＞
実施の形態の処理は、各機能を具現化したソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６５】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００６６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００６７】
【図１】従来の血圧計における表示部の表示の様子を示す図である。
【図２】本発明による血圧計１００を使用する様子を示す概念図である。
【図３】本発明による血圧計１００の外観を示す図である。
【図４】本発明による血圧計１００の構成を示すブロック図である。
【図５】本発明による血圧計１００における加圧処理を説明するためのフローチャートである。
【図６】本発明による血圧計１００における血圧測定処理を説明するためのフローチャートである。
【図７】本発明による血圧計１００における測定データ表示処理を説明するためのフローチャートである。
【図８】本発明による血圧計１００における表示の順番を説明するための概念図である。
【図９】本発明による血圧計１００における記憶された測定データの消去処理を説明するためのフローチャートである。
【符号の説明】
【００６８】
１００  血圧計
１０１  記憶呼出キー
１０２  開始／停止キー
１０３  切替スイッチ
１０４  表示部
１０５  腕帯（カフ）
１０６  チューブ
【図１】
2005224440.tif 000003
【図２】
2005224440.tif 000004
【図３】
2005224440.tif 000005
【図４】
2005224440.tif 000006
【図５】
2005224440.tif 000007
【図６】
2005224440.tif 000008
【図７】
2005224440.tif 000009
【図８】
2005224440.tif 000010
【図９】
2005224440.tif 000011
【手続補正書】
【提出日】平成16年2月20日(2004.2.20)
【手続補正１】
【補正対象書類名】明細書
【補正対象項目名】全文
【補正方法】変更
【補正の内容】
【発明の詳細な説明】
【技術分野】
【０００１】
本発明は、最高血圧及び最低血圧を記憶、表示する血圧計に関し、例えば、好ましくは、複数の系統に切り替える切替スイッチを有し、この切替スイッチを用いて系統を切り替えながら測定データを記憶させ、呼び出す血圧計に関するものである。
【背景技術】
【０００２】
図１は、特開２００２−２７２６８６号公報に開示されている従来の血圧計の表示部における表示内容を示す図である。
【０００３】
図１において、血圧計本体に設けられた表示部１０は、最高血圧値及び最低血圧値を表示する血圧値表示部１０ａと、日時を表示する日時表示部１０ｂと、使用者識別記号"Ａ"又は"Ｂ"を表示する使用者表示部１０ｃとを有する。血圧計本体に設けられたスライド式の使用者切替えスイッチ１６は、使用者Ａ又はＢ毎に切り替えるもので、両側に使用者識別記号２１、２２として"Ａ"、"Ｂ"が記されている。測定された血圧値をメモリに記憶する前又は後に、その測定された血圧値に係る使用者Ａ又はＢの識別記号、即ち切替えスイッチ１６で切り替えた側の識別記号"Ａ"又は"Ｂ"を使用者表示部１０ｃに点滅表示する。
【０００４】
このように従来の血圧計表示において、現在Ａ又はＢのどちらの使用者についての血圧測定かを表示し、使用者に知らせることができるので、使用者は自分自身のメモリ領域に確実に測定結果を記憶させることができ、別のメモリ領域に血圧値が間違って記憶された場合でも気づくことができる。
【０００５】
そして、各使用者は、自分のメモリ領域に所望回数分の測定結果を記憶させ、自分の血圧の推移傾向を分析することができる。
【特許文献１】特開２００２−２７２６８６号公報
【発明の開示】
【発明が解決しようとする課題】
【０００６】
しかしながら、上述の血圧計については、メモリ領域に記憶された複数の測定結果を消去する場合は全ての結果を一度に消去するしかなく、メモリ領域に記憶させた複数の測定結果のうちある測定結果だけを消去する必要がある場合に対応するということが出来なかった。つまり、血圧計は一般的に、測定中に腕を動かしたとか、血圧計カフの巻き方が悪いとか、カフを巻いた腕の位置の高低等の測定条件によって、血圧計の測定値が異常な値を示す場合もある。このような場合に、その異常結果のみを消去したい場合があるが、上述の血圧計では異常結果のみならず、残しておきたい結果も消去してしまわなければならないのである。
【０００７】
これでは、今までの測定が無駄なものとなってしまい、使用者にとって非常に使い勝手が悪いという欠点があった。
【０００８】
本願発明は上記問題点を鑑みて為されたものであり、使用者にとって使い勝手がよい血圧計、特にメモリに記憶された、使用者が測定した複数の測定結果のうち消去したい測定結果のみを消去することができる血圧計を提供することを目的とする。併わせて、時刻を常時表示することができる血圧計を提供することを目的とする。また、時刻を自動的に調整(修正)できる血圧計を提供することを目的とする。
【課題を解決するための手段】
【０００９】
上記の問題を解決するために、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記血圧測定手段によって得られた複数の測定データをメモリに記憶する記憶手段と、前記メモリに記憶されている前記複数の測定データの中から任意の測定データを選択するための選択手段と、前記選択手段によって選択された前記任意の測定データのみを、消去指示に従って前記メモリから消去する消去手段と、を備えることを特徴とする。さらにまた、時刻（時分）を常時表示する機能を備えたことを特徴とする。
【００１０】
また、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記メモリは複数の使用領域に分割され、この使用領域を切り替えるための切替手段と、前記血圧測定手段によって得られた複数の測定データを、前記切替手段によって切り替えられた前記使用領域に記憶する記憶手段と、前記記使用領域に記憶されている前記複数の測定データの中から任意の測定データを選択し、この任意の測定データを前記表示部に点滅表示させるようにする選択手段と、前記選択手段によって選択された前記任意の測定データのみを、消去指示に従って前記メモリから消去する消去手段と、を備えることを特徴とする。さらにまた、時刻（時分）を常時表示する機能を備えたことを特徴とする。
【００１１】
さらに、その他の本発明の特徴は、以下の発明を実施するための最良の形態の記載及び添付図面により明らかになるものである。
【発明の効果】
【００１２】
本願発明によれば、使用者にとって使い勝手がよい血圧計、特にメモリの特定領域に記憶された不要な測定データのみを個別に、簡単な操作で消去することができる。また、測定する時刻を容易に視認することができる。
【発明を実施するための最良の形態】
【００１３】
以下、図面を参照して本発明を実施するための最良の形態について詳細に説明する。
【００１４】
＜血圧計の使用態様について＞
図２は、使用者１が本発明に係る血圧計１００を使用して血圧を測る様子を示す図である。図２に示されるように、測定時には腕帯（カフ）と心臓の高さを同じにすることが大切である。また、測定時には手のひらを上に向け、カフの下端部はひじよりも２〜３ｃｍ上に成るようにし、さらにチューブ１０６は腕の中心に来るようにすることが正確に血圧を測るためには必要とされる条件となる。この条件を満足しない場合には、血圧測定結果が異常な値を示す場合があるので、注意が必要となる。
【００１５】
なお、本発明の実施形態によれば、このような異常な測定結果が得られたとしても、後述のデータ消去方法に従ってその異常値のみを消去できるので従来の血圧計に比べて使い勝手がよく、測定を必ず成功させなければならないという使用者１が感じるストレスも少ないものとなる。よって、よりリラックスして血圧を測定することが可能となる。
【００１６】
＜血圧計の外観について＞
図３は、本実施形態に係る血圧計１００の外観を示す図である。１０１は記憶呼出キーであり、過去に測定したデータをメモリ（図４のＥＥＰＲＯＭ２１１）から読み出して表示部１０４に表示するときに押下して使用するキーである。１０２は開始／停止キーであり、測定を開始するときや測定を停止するとき、さらにはメモリに格納されている過去の測定データを消去するとき等、に用いられる。１０３は記憶切替スイッチ（切替手段）であり、これを切り替えることによって複数の使用領域に分割されたメモリのメモリ領域を切り替えることができる。例えば、Ａに切替スイッチが切り替わっている場合には使用者Ａの測定データ、Ｂに切替スイッチが切り替わっている場合には使用者Ｂの測定データをそれぞれのメモリ領域に記憶する。また、例えば、使用者Ａについて朝のデータをメモリ領域Ａに、晩のデータをメモリ領域Ｂに記憶するような使い方をしてもよい。なお、本実施形態では、Ａ・Ｂ２つの領域を切り替えるような例が示されているが、本発明はこれに限られたものではなく、メモリ領域はいくつ設けてもよい。また、切替スイッチ１０３は機構的に切り替えるように設定されているが、押下式スイッチにして押下する度にメモリ領域を切り替え、選択内容（使用者Ａ、Ｂ、Ｃ・・・若しくは、朝、昼、晩、又、運動前、運動後や飲酒前、飲酒後、降圧剤服用後等）を表示部１０４に表示するようにして、様々な使用者の使用態様に対応できるようにしても良い。
【００１７】
表示部１０４は、例えば液晶ディスプレイで構成されている。なお、各動作に対応した表示部１０４での表示形態は、図１０に示す。１０５は腕帯（カフ）であり、測定時には使用者１の左上腕部(通常)に巻きつけられる。また、この腕帯１０５のチューブ１０６は腕帯コネクタ接続部１０７を介して本体１００と接続されており、本体からチューブ１０６を介して腕帯１０５に空気が送られて加圧したり、空気を抜いて減圧したりといった動作が実行される。１０８は、血圧計１００を使用しないときに腕帯１０５を収納するための腕帯ケースであり、さらにはこのケースは本体電源である乾電池（図示せず）のカバーを兼ねている。１０９はＡＣアダプタ接続部であり、本体１００を乾電池ではなく、ＡＣ電源によって駆動させる場合にＡＣアダプタが接続される。
【００１８】
＜基本構成ブロックについて＞
図４は本実施形態の基本構成を示すブロック図である。本実施形態に係る血圧計１００は、使用者の要部(例えば、上腕)２に装着して阻血するカフ１０５と、カフ１０５内の加圧袋の圧力を上昇させる加圧手段（加圧ポンプ）２０１と、カフ１０５内の圧力を徐々に降下させる排気手段２０２と、カフ１０５内の圧力を電気信号に変換する圧力センサー２０３と、 圧力センサー２０３出力中に含まれる高周波雑音をカットするローパスフィル
タ２０４と、ローパスフィルタ２０４の出力をサンプリングしてデジタル値に変換するＡ／Ｄコンバータ２０５と、データ処理部２０６と、表示手段１０４を備えている。
【００１９】
そして、データ処理部２０６は、徐々排気期にＡ／Ｄコンバータ２０５より出力される圧力値(デジタル値)から動脈脈波値Ｖをデジタル演算により抽出する動脈脈波抽出手段２０７ａおよび圧力値から動脈脈波を除去したカフ圧値Ｐをデジタル演算により抽出するカフ圧抽出手段２０７ｂを備えた圧力情報分離手段２０７と、演算プログラムや各種テーブル等を格納しているＲＯＭ２０８ａと、圧力情報分離手段２０７にて抽出した脈波に対応する動脈脈波値Ｖおよびカフ圧値Ｐを対データとして有限個数(例えば、１０対)だけ所定の記憶領域に記憶するＲＡＭ２０８ｂと、血圧決定部２０９と、カフ圧をモニタするカフ圧モニタ２１２と、排気手段２０２の排気速度をモニタする排気速度モニタ２１３を有している。これらのモニタ結果も表示部１０４に表示される。
【００２０】
血圧決定部２０９は、前述の記憶呼出キー１０１、開始／停止キー１０２、切替スイッチ１０３、ＣＰＵ２１０、ＥＥＰＲＯＭ２１１、血圧判定手段２１４を備えている。このＥＥＰＲＯＭ２１１は複数のメモリ領域に分割されており、切替スイッチ１０３によって使用するメモリ領域が切り替えられ、そして、血圧測定結果がそれぞれのメモリ領域に格納されるようになっている。
【００２１】
ＣＰＵ２１０は、ＲＡＭ２０８ｂに記憶されたデータを適宜読出し、ＲＯＭ２０８ａに格納されている演算プログラムに従って比較演算する。また、ＣＰＵ２１０は記憶呼出キー１０１からの指示および切替スイッチの指定に基づいて、ＥＥＰＲＯＭ２１１の所定のメモリ領域から血圧測定結果を読み出して表示部１０４に表示する。また、開始／停止キー１０２からの指示に従って、ＣＰＵ２１０は血圧の測定を開始したり、停止したり等する。また、ＣＰＵ２１０等の演算用のクロック回路２１０ｂ、時計(日時・時刻)表示するためのクロック回路２１０ｃが設けられている。
【００２２】
血圧判定手段２１４は、ＣＰＵ２１０からの演算結果に基づいて最高、最低血圧値及び脈拍を判定し、その判定値を血圧測定結果としてＥＥＰＲＯＭ２１１の切替スイッチ１０３で指定されたメモリ領域に格納する。
【００２３】
血圧判定手段２１４における最高血圧判定は、動脈脈波値Ｖが動脈脈波値Ｖの最大値Ｖmaxに所定比率αを乗じた判定境界値Ｖａを最初に越え始める時期を最高血圧時期として
その時期のカフ圧値Ｐを最高血圧値と判定するように形成されている。なお、本実施形態にあっては、上記最高血圧判定は、ＲＡＭ２０８ｂに記憶されている動脈脈波値Ｖをカフ圧値Ｐの小さい順に判定境界値と比較し、所定の複数回数連続して動脈脈波値Ｖが大きくなる時期を最高血圧時期と判定する時期判定にて形成されている。
【００２４】
＜血圧計の動作について＞
以下、図５乃至図９を用いて血圧計の動作について説明する。なお、各図の動作を司っているのは、ＣＰＵ２１０である。
【００２５】
まず、図５のフローチャートを用いて、血圧計１００によって血圧を測定する際の加圧動作について説明する。
【００２６】
開始／停止キー１０２が押されていない状態、即ち、血圧測定していない状態でも表示部１０４に時刻（時分）が表示されている(図１０(ｎ)参照)。ステップＳ３０１で開始／停止キー１０２が押されると、直ぐにステップＳ３０２に移行し、そこでセルフチェック動作が行われる。このセルフチェック動作は、表示部１０４の確認のため全表示（図１０(ａ)参照）にし、液晶表示が正常か否かをチェクし、また時刻表示を消灯する。そして次のタイミングで排気マークを表示させて圧力をゼロにセットする（ゼロアジャスト動作；図１０(ｂ)参照）。ゼロアジャストが終了すると排気マークを消灯させ、処理がステップＳ３０３に移行する。なお、このセルフチェック動作は約４秒間行われる。
【００２７】
ステップＳ３０３では、加圧マークが表示部１０４に表示され(図１０(ｃ)参照)、カフに対する加圧動作が開始される。
【００２８】
ステップＳ３０４（表示部１０４の表示形態は、図１０(ｄ)参照）では、所定時間Ｔ１（例えば、５秒）加圧を継続し、Ｔ１時間経過後、ステップＳ３０５に移行し、その時点での圧力が１ｍｍＨｇ未満か否かが判断される。つまり、ここでは、加圧しているのにも拘わらず圧力が上がっていないか否かが判断される。圧力が１ｍｍＨｇ未満でない場合、つまり最低ラインの圧力はクリアしている場合には処理はステップＳ３０６に移行し、１ｍｍＨｇ未満である場合には処理はステップＳ３１１に移行する。
【００２９】
ステップＳ３０６において、さらに所定時間Ｔ２（例えば、２０秒）加圧を継続し、Ｔ２時間経過後、ステップＳ３０７においてその時点での圧力が５０ｍｍＨｇ未満か否かが判断される。圧力が５０ｍｍＨｇ未満であれば処理はステップＳ３１１に移行し、５０ｍｍＨｇ未満でなければ処理はステップＳ３０８に移行する。
【００３０】
ステップＳ３０８においては、加圧中の脈波（血管の振動の振幅）が検出され、さらに加圧値の演算され及び決定される。そして、ステップＳ３０９においてその加圧値が強制終了の条件に合致するか否かが判断される。圧力値が強制終了条件に合致する場合には、血圧測定動作自体が終了する（Ｂ）。強制終了条件に合致しない場合には、圧力値が正常ということで、処理はステップＳ３１０に移行し、加圧処理が終了する。ここで、強制終了条件とは、ステップＳ３０８で決定された加圧値が血圧測定するには低く過ぎたり（例えば、１４０ｍｍＨｇ未満）、高過ぎたり（例えば、３００ｍｍＨｇ）する場合である。なお、強制終了する場合には、強制終了の表示（マーク又は警告文言）を表示部１０４に表示してもよい。
【００３１】
ステップＳ３０５又はステップＳ３０７で「ＹＥＳ」の場合には、処理がステップＳ３１１に移行し、表示部１０４にエラー表示（例えば、ＥＲＲ；図１０(ｆ)参照）が表示される。そしてステップＳ３１２では、今まで加圧されてある程度膨らんだカフ１０５の加圧分の空気が排気される。その後（ステップＳ３１３で）、再計測する場合には処理はステップＳ３０１に戻り、再計測しない場合には血圧測定動作自体を終了する（Ｂ）。
【００３２】
＜血圧測定動作＞
続いて、血圧測定動作について図６のフローチャートを用いて説明する。
【００３３】
加圧処理が終了すると（Ａ）、ステップＳ４０１において減圧が開始される。減圧開始後、ステップＳ４０２では、脈波があるか否かが判断され、有ると判断された場合には、処理はステップＳ４０３に移行し、ないと判断された場合には処理はＳ４０５に移行する。
【００３４】
ステップＳ４０３においては、脈波があった場合にそれを示す「脈波マーク：例えばハートマーク」を表示部１０４に表示する。そして、ステップＳ４０４において、その脈波情報をＲＡＭ２０８ｂに格納する。
【００３５】
ステップＳ４０５では、今の圧力状態で充分か、つまり加圧不足か否かが判断され、加圧不足であると判断されると処理はステップＳ４１０に移行し、加圧不足でないと判断されれば処理はステップＳ４０６に移行する。
【００３６】
ステップＳ４０６では、最高血圧、最低血圧及び脈拍数が決定される。そして、ステップＳ４０７において、血圧値（最高／最低血圧値）、脈拍数、及び測定時刻が表示部１０４に測定結果として表示される（図１０(ｅ)参照）。
【００３７】
さらに、ステップＳ４０８で、測定された結果（最高・最低血圧値、脈拍）及び測定時刻がＥＥＰＲＯＭ２１１（切替スイッチ１０３で選択されているものに対応するメモリ領域）に格納される。
【００３８】
正常にステップＳ４０８までの動作が実行されれば、ステップＳ４０９でカフの空気が排気され、血圧測定処理が終了する。
【００３９】
なお、ステップＳ４０５で加圧不足の場合にはステップＳ４１０に移行するが、そこでは加圧値が３００ｍｍＨｇより大きいか否かが判断される。大きい場合にはエラー表示され（Ｓ４１４）、測定が終了する（Ｂ）。一方、小さい場合には、処理はステップＳ４１１に移行して再加圧される、ステップＳ４１２でさらに圧力が３３０ｍｍＨｇ以上か否かが判断される。３３０ｍｍＨｇ以上である場合には圧力が異常に高いため、ステップＳ４１４でエラー表示（図１０（ｇ）参照）され、測定が終了する。また、圧力が３３０ｍｍＨｇ未満の場合には、ステップＳ４１３で加圧処理が停止され（Ｃ）、再度脈波の有無の判断（Ｓ４０２）以降の処理が繰り返される。
【００４０】
以上のような血圧測定処理によって測定された測定結果は順次ＥＥＰＲＯＭ２１１の選択された領域に記憶される。
【００４１】
＜記憶データの表示動作について＞
続いて、図７のフローチャート及び図８の概念図を用いて、ＥＥＰＲＯＭに記憶された過去の測定データを表示する場合の処理について説明する。
【００４２】
ステップＳ５０１において、表示したいＥＥＰＲＯＭ２１１のメモリ領域が選択される。つまり、切替スイッチ１０３のＡかＢかの選択により、使用者Ａの測定データか又はＢの測定データかの選択がなされる。なお、前述の通り、使用態様により朝晩のデータの選択を行う等、使用者にとって様々な用法が考えられる。切替スイッチ１０３の数は、ＡＢの２つに限らず、それ以上であってもよいことは既に述べた。ここでは具体的にスイッチ「Ａ」（メモリ領域Ａ）が選択されたと想定する。
【００４３】
次にステップＳ５０２において、記憶呼出キー１０１が押されたか否かが判断され、押された場合にはステップＳ５０３において、メモリ領域Ａに測定データが記憶されているかが判断され、無い場合には終了する。
【００４４】
ステップＳ５０４では、メモリ領域Ａに記憶データがある場合には記憶値が表示される。最初の表示の場合で、かつ複数データが記憶されている場合には、その平均値が表示部１０４に表示される。  
【００４５】
そして、ステップＳ５０５において、記憶呼出キー１０１が所定時間（例えば、１８秒間）操作（押下）されなかったかが判断され、未操作のまま所定時間経過してしまった場合には表示部１０４上の表示が消去され、処理が終了する。
【００４６】
また、ステップＳ５０６において、所定時間経過前に、さらに記憶されているデータがあるか否かが判断され、無い場合には処理は終了するが、まだある場合にはステップ５０７でメモリ内のポインタがインクリメントされ、再度の記憶呼出キー１０１の操作と共に、新しいデータから順番に表示部に表示されるようにステップＳ５０２乃至Ｓ５０７の処理が繰り返される。
【００４７】
以上の処理を概念的に表した図が図８である。図８Ａに示されるように、メモリ領域Ａにはｎ個の測定データが記憶されている。また、メモリ領域Ａには複数個の測定データが記憶されているので、平均値が演算されてその値も記憶されている。一方、メモリ領域Ｂには１つの測定データのみが記憶されている。
【００４８】
メモリ領域Ａの測定データを表示する場合、最初の記憶呼出キー操作によって、平均値Ａｖが表示部１０４に表示される。次の記憶呼出キー操作によって、最新のデータ（１）から順に最古のデータ（ｎ）まで表示部１０４に表示される。そして、ｎまで表示されると、最初の平均値Ａｖに戻って表示される。
【００４９】
＜記憶データの消去動作について＞
図９は、ＥＥＰＲＯＭ２１１のメモリ領域に記憶されている測定データのうち、特定のデータのみを消去する動作を説明するフローチャートである。
【００５０】
ステップＳ６０１において、所定のメモリ領域（Ａ又はＢ）が選択されている場合に、記憶呼出キー１０１が操作されたことが検知される。なお、ここでは領域Ａが選択されているものとする。
【００５１】
続いてステップＳ６０２において、測定データが領域Ａにあるか否かが判断され、無い場合には当然処理は終了する。データがある場合には処理はステップＳ６０３に移行する。
【００５２】
ステップＳ６０３においては、ステップＳ６０１の記憶呼出キー１０１の操作が所定時間の（例えば、４秒間）長押しであるかが判断される。この長押し動作は、特定データ消去のトリガーとなるものである。長押しされた場合には処理は、ステップＳ６０７に移行し消去動作に入る。なお、最初の記憶呼出キー操作によって平均値Ａｖが表示部に表示されているので、この段階で長押しされれば、メモリ領域Ａに記憶されている全データの消去動作を行うことになる。このように、消去したいデータを使用者に選択させることができるので、不用意なデータの消去を防止できる。
【００５３】
ステップＳ６０４では、記憶されているデータ(最高血圧，最低血圧，脈拍，月日，時刻，データ記憶領域，記憶データ数)が表示される(図１０（ｈ），図１０（ｉ）のように最高血圧，最低血圧，脈拍，月日，データ記憶領域，記憶データ数をまとめた表示（図１０（ｈ）と、最高血圧，最低血圧，脈拍，時分，データ記憶領域，記憶データ数をまとめた表示（図１０（ｉ）が所定秒(例えば３秒)毎に交互に表示される。最初の表示内容は図８で示されるように平均値Ａｖ又は最新データ（データが１個しかない場合）である。そして、ステップＳ６０５において、表示されたデータがメモリ領域Ａに記憶されている最後のデータかが判断され、最後のデータの場合には処理は終了し、まだデータがある場合にはメモリのポインタがインクリメントされ（Ｓ６０６）、次のデータについての処理の準備がなされる。
【００５４】
このように、メモリ領域Ａに記憶されているデータのうち、消去したいデータが表示されるまでステップＳ６０１乃至Ｓ６０６の処理が繰り返される。
【００５５】
一方、消去したいデータが表示（図１０（ｌ）参照）されればステップＳ６０３で記憶呼出キー１０１が長押しされ、処理は消去動作に入る。長押しされると、現在表示中の測定データが点滅し始める（図１０（ｍ）参照）。この間もずっと長押しが継続されていなければならない。記憶呼出キー１０１が押されなくなると点滅が停止し、その場合、処理はステップＳ６０４に戻るようになっている。
【００５６】
ステップＳ６０７においては、この表示データ点滅状態で、消去の指示が使用者より入力されたかが判断される。使用者としては、例えば消去対象データを間違えた場合等には消去指示を入力することはないので、処理はステップＳ６０４に戻り、所望のデータが表示されるまでステップＳ６０１乃至Ｓ６０６の動作が繰り返される。ここで、消去の指示は、消去対象の表示データが点滅した状態が継続している間（例えば、８秒間）に記憶呼出キー１０１を押し続けながら開始／停止キー１０２を押すことである。このように消去すべき測定データを点滅表示させるのは、使用者に「消去する対象の測定データ」であることを喚起し、誤って消去してしまうような事態を防止するためである。
【００５７】
このような消去指示が入力されると、ステップＳ６０８でその表示中（点滅中）のデータが消去され、時刻（時分）のみの表示に戻る(図１０（ｎ）参照)。そして、消去動作自体が終了する。
【００５８】
なお、消去指示は上述の方法に限らない。つまり、長押しされて点滅表示が始まった場合、記憶呼出キー１０１を押しつづけなくても一旦点滅が始まれば点滅は停止されないようにし（点滅継続時間は設けても良い）、その状態で開始／停止キー１０２を押すことによってデータが消去されるようにしても良い。
【００５９】
また、記憶呼出キー１０１を押しつづけながら、点滅状態で開始／停止キー１０２を押して、さらにキー１０１と１０２を同時に離した場合にデータが表示されるようにしても良い。
【００６０】
さらに、図９には示されていないが、消去指示が入力されずに記憶呼出キー１０１のみが必要以上に長押しされた場合（例えば、１２秒間）には、消去の意思が無いものと見なして表示部１０４の表示を時刻表示に戻すようにしても良い。
【００６１】
以上のように、本実施形態によれば、測定データを、メモリ領域を用途に応じて切り替えて記憶するようにし、異常な測定結果が得られた場合等、特定の測定データのみを消去することができるので、また、従来の血圧計とは異なり、データを消去する場合には全測定データをしなければならないということは無いので、過去の測定データが無駄になることなく、使用者の使い勝手が非常に向上したものとなっている。
【００６２】
なお、測定データが異常であるかどうかの判断は基本的には使用者に委ねられるが、例えば、今までの測定平均値Ａｖよりも上下１０％の範囲を逸脱する場合にはその測定値は何らかの理由により正確に測定できなかったとして、測定データが異常であることを示す「異常マーク：例えば！マーク」を表示部１０４に表示して使用者に喚起するようにしてもよい。このような表示があれば、消去する際の消去対象の目安にもなるので便利である。  また、本実施形態に係るデータ消去方法は、本実施形態で示したオシロメトリック方式の血圧計のみならず、コロトコフ音式血圧計等、如何なる電子血圧計にも適用できるものである。
【００６３】
さらに、図１０（ｊ），図１０（ｋ）に示すように、血圧値の表示は、ｍｍＨｇだけでなく、ｋＰａ表示への切替も可能とすることができる。
【００６４】
＜その他＞
実施の形態の処理は、各機能を具現化したソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６５】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００６６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【００６７】
図１１は、本発明の血圧計の他の実施態様を示すもので、上述の実施例と異なる点は、標準電波(標準時分)の電波を受信して自動的に時刻を標準時分に調整する機能を備えたところである。このため、標準電波を受信するアンテナ、増幅器，検波器，復調器等を含む電波受信回路２１０ａを設けてある。他の構成は、図４の構成と同じであるので説明は割愛する。こうして、電波受信回路２１０ａを設け、血圧計１００に電波時計機能を持たせることにより、使用開始時に時刻設定する手間が省けるので使い勝手が格段に向上する。
【図面の簡単な説明】
【００６８】
【図１】従来の血圧計における表示部の表示の様子を示す図である。
【図２】本発明による血圧計１００を使用する様子を示す概念図である。
【図３】本発明による血圧計１００の外観を示す図である。
【図４】本発明による血圧計１００の構成を示すブロック図である。
【図５】本発明による血圧計１００における加圧処理を説明するためのフローチャートである。
【図６】本発明による血圧計１００における血圧測定処理を説明するためのフローチャートである。
【図７】本発明による血圧計１００における測定データ表示処理を説明するためのフローチャートである。
【図８】本発明による血圧計１００における表示の順番を説明するための概念図である。
【図９】本発明による血圧計１００における記憶された測定データの消去処理を説明するためのフローチャートである。
【図１０】本発明による血圧計１００における様々なステップに対応する表示部１０４の表示形態を示す図である。
【図１１】本発明による血圧計１００における他の実施例の構成を示すブロック図である。
【符号の説明】
【００６９】
１００  血圧計、１０１  記憶呼出キー、１０２  開始／停止キー、１０３  切替スイッチ、１０４  表示部、１０５  腕帯（カフ）、２１０ａ  電波受信回路
【手続補正２】
【補正対象書類名】図面
【補正対象項目名】全図
【補正方法】変更
【補正の内容】
【図１】
2005224440.tif 000012
【図２】
2005224440.tif 000013
【図３】
2005224440.tif 000014
【図４】
2005224440.tif 000015
【図５】
2005224440.tif 000016
【図６】
2005224440.tif 000017
【図７】
2005224440.tif 000018
【図８】
2005224440.tif 000019
【図９】
2005224440.tif 000020
【図１０】
2005224440.tif 000021
【図１１】
2005224440.tif 000022
【手続補正書】
【提出日】平成16年2月20日(2004.2.20)
【手続補正１】
【補正対象書類名】明細書
【補正対象項目名】全文
【補正方法】変更
【補正の内容】
【発明の詳細な説明】
【技術分野】
【０００１】
本発明は、最高血圧及び最低血圧を記憶、表示する血圧計に関し、例えば、好ましくは、複数の系統に切り替える切替スイッチを有し、この切替スイッチを用いて系統を切り替えながら測定データを記憶させ、呼び出す血圧計に関するものである。
【背景技術】
【０００２】
図１は、特開２００２−２７２６８６号公報に開示されている従来の血圧計の表示部における表示内容を示す図である。
【０００３】
図１において、血圧計本体に設けられた表示部１０は、最高血圧値及び最低血圧値を表示する血圧値表示部１０ａと、日時を表示する日時表示部１０ｂと、使用者識別記号"Ａ"又は"Ｂ"を表示する使用者表示部１０ｃとを有する。血圧計本体に設けられたスライド式の使用者切替えスイッチ１６は、使用者Ａ又はＢ毎に切り替えるもので、両側に使用者識別記号２１、２２として"Ａ"、"Ｂ"が記されている。測定された血圧値をメモリに記憶する前又は後に、その測定された血圧値に係る使用者Ａ又はＢの識別記号、即ち切替えスイッチ１６で切り替えた側の識別記号"Ａ"又は"Ｂ"を使用者表示部１０ｃに点滅表示する。
【０００４】
このように従来の血圧計表示において、現在Ａ又はＢのどちらの使用者についての血圧測定かを表示し、使用者に知らせることができるので、使用者は自分自身のメモリ領域に確実に測定結果を記憶させることができ、別のメモリ領域に血圧値が間違って記憶された場合でも気づくことができる。
【０００５】
そして、各使用者は、自分のメモリ領域に所望回数分の測定結果を記憶させ、自分の血圧の推移傾向を分析することができる。
【特許文献１】特開２００２−２７２６８６号公報
【発明の開示】
【発明が解決しようとする課題】
【０００６】
しかしながら、上述の血圧計については、メモリ領域に記憶された複数の測定結果を消去する場合は全ての結果を一度に消去するしかなく、メモリ領域に記憶させた複数の測定結果のうちある測定結果だけを消去する必要がある場合に対応するということが出来なかった。つまり、血圧計は一般的に、測定中に腕を動かしたとか、血圧計カフの巻き方が悪いとか、カフを巻いた腕の位置の高低等の測定条件によって、血圧計の測定値が異常な値を示す場合もある。このような場合に、その異常結果のみを消去したい場合があるが、上述の血圧計では異常結果のみならず、残しておきたい結果も消去してしまわなければならないのである。
【０００７】
これでは、今までの測定が無駄なものとなってしまい、使用者にとって非常に使い勝手が悪いという欠点があった。
【０００８】
本願発明は上記問題点を鑑みて為されたものであり、使用者にとって使い勝手がよい血圧計、特にメモリに記憶された、使用者が測定した複数の測定結果のうち消去したい測定結果のみを消去することができる血圧計を提供することを目的とする。併わせて、時刻を常時表示することができる血圧計を提供することを目的とする。また、時刻を自動的に調整(修正)できる血圧計を提供することを目的とする。
【課題を解決するための手段】
【０００９】
上記の問題を解決するために、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記血圧測定手段によって得られた複数の測定データをメモリに記憶する記憶手段と、前記メモリに記憶されている前記複数の測定データの中から任意の測定データを選択するための選択手段と、前記選択手段によって選択された前記任意の測定データのみを、消去指示に従って前記メモリから消去する消去手段と、を備えることを特徴とする。さらにまた、時刻（時分）を常時表示する機能を備えたことを特徴とする。
【００１０】
また、本発明による血圧計は、血圧測定をして測定データをメモリに記憶し、後に前記測定データを前記メモリから読み出して表示部に表示する血圧計であって、被験者の血圧を測定する血圧測定手段と、前記血圧測定によって得られた測定データを前記表示部に表示する表示手段と、前記メモリは複数の使用領域に分割され、この使用領域を切り替えるための切替手段と、前記血圧測定手段によって得られた複数の測定データを、前記切替手段によって切り替えられた前記使用領域に記憶する記憶手段と、前記記使用領域に記憶されている前記複数の測定データの中から任意の測定データを選択し、この任意の測定データを前記表示部に点滅表示させるようにする選択手段と、前記選択手段によって選択された前記任意の測定データのみを、消去指示に従って前記メモリから消去する消去手段と、を備えることを特徴とする。さらにまた、時刻（時分）を常時表示する機能を備えたことを特徴とする。
【００１１】
さらに、その他の本発明の特徴は、以下の発明を実施するための最良の形態の記載及び添付図面により明らかになるものである。
【発明の効果】
【００１２】
本願発明によれば、使用者にとって使い勝手がよい血圧計、特にメモリの特定領域に記憶された不要な測定データのみを個別に、簡単な操作で消去することができる。また、測定する時刻を容易に視認することができる。
【発明を実施するための最良の形態】
【００１３】
以下、図面を参照して本発明を実施するための最良の形態について詳細に説明する。
【００１４】
＜血圧計の使用態様について＞
図２は、使用者１が本発明に係る血圧計１００を使用して血圧を測る様子を示す図である。図２に示されるように、測定時には腕帯（カフ）と心臓の高さを同じにすることが大切である。また、測定時には手のひらを上に向け、カフの下端部はひじよりも２〜３ｃｍ上に成るようにし、さらにチューブ１０６は腕の中心に来るようにすることが正確に血圧を測るためには必要とされる条件となる。この条件を満足しない場合には、血圧測定結果が異常な値を示す場合があるので、注意が必要となる。
【００１５】
なお、本発明の実施形態によれば、このような異常な測定結果が得られたとしても、後述のデータ消去方法に従ってその異常値のみを消去できるので従来の血圧計に比べて使い勝手がよく、測定を必ず成功させなければならないという使用者１が感じるストレスも少ないものとなる。よって、よりリラックスして血圧を測定することが可能となる。
【００１６】
＜血圧計の外観について＞
図３は、本実施形態に係る血圧計１００の外観を示す図である。１０１は記憶呼出キーであり、過去に測定したデータをメモリ（図４のＥＥＰＲＯＭ２１１）から読み出して表示部１０４に表示するときに押下して使用するキーである。１０２は開始／停止キーであり、測定を開始するときや測定を停止するとき、さらにはメモリに格納されている過去の測定データを消去するとき等、に用いられる。１０３は記憶切替スイッチ（切替手段）であり、これを切り替えることによって複数の使用領域に分割されたメモリのメモリ領域を切り替えることができる。例えば、Ａに切替スイッチが切り替わっている場合には使用者Ａの測定データ、Ｂに切替スイッチが切り替わっている場合には使用者Ｂの測定データをそれぞれのメモリ領域に記憶する。また、例えば、使用者Ａについて朝のデータをメモリ領域Ａに、晩のデータをメモリ領域Ｂに記憶するような使い方をしてもよい。なお、本実施形態では、Ａ・Ｂ２つの領域を切り替えるような例が示されているが、本発明はこれに限られたものではなく、メモリ領域はいくつ設けてもよい。また、切替スイッチ１０３は機構的に切り替えるように設定されているが、押下式スイッチにして押下する度にメモリ領域を切り替え、選択内容（使用者Ａ、Ｂ、Ｃ・・・若しくは、朝、昼、晩、又、運動前、運動後や飲酒前、飲酒後、降圧剤服用後等）を表示部１０４に表示するようにして、様々な使用者の使用態様に対応できるようにしても良い。
【００１７】
表示部１０４は、例えば液晶ディスプレイで構成されている。なお、各動作に対応した表示部１０４での表示形態は、図１０に示す。１０５は腕帯（カフ）であり、測定時には使用者１の左上腕部(通常)に巻きつけられる。また、この腕帯１０５のチューブ１０６は腕帯コネクタ接続部１０７を介して本体１００と接続されており、本体からチューブ１０６を介して腕帯１０５に空気が送られて加圧したり、空気を抜いて減圧したりといった動作が実行される。１０８は、血圧計１００を使用しないときに腕帯１０５を収納するための腕帯ケースであり、さらにはこのケースは本体電源である乾電池（図示せず）のカバーを兼ねている。１０９はＡＣアダプタ接続部であり、本体１００を乾電池ではなく、ＡＣ電源によって駆動させる場合にＡＣアダプタが接続される。
【００１８】
＜基本構成ブロックについて＞
図４は本実施形態の基本構成を示すブロック図である。本実施形態に係る血圧計１００は、使用者の要部(例えば、上腕)２に装着して阻血するカフ１０５と、カフ１０５内の加圧袋の圧力を上昇させる加圧手段（加圧ポンプ）２０１と、カフ１０５内の圧力を徐々に降下させる排気手段２０２と、カフ１０５内の圧力を電気信号に変換する圧力センサー２０３と、 圧力センサー２０３出力中に含まれる高周波雑音をカットするローパスフィル
タ２０４と、ローパスフィルタ２０４の出力をサンプリングしてデジタル値に変換するＡ／Ｄコンバータ２０５と、データ処理部２０６と、表示手段１０４を備えている。
【００１９】
そして、データ処理部２０６は、徐々排気期にＡ／Ｄコンバータ２０５より出力される圧力値(デジタル値)から動脈脈波値Ｖをデジタル演算により抽出する動脈脈波抽出手段２０７ａおよび圧力値から動脈脈波を除去したカフ圧値Ｐをデジタル演算により抽出するカフ圧抽出手段２０７ｂを備えた圧力情報分離手段２０７と、演算プログラムや各種テーブル等を格納しているＲＯＭ２０８ａと、圧力情報分離手段２０７にて抽出した脈波に対応する動脈脈波値Ｖおよびカフ圧値Ｐを対データとして有限個数(例えば、１０対)だけ所定の記憶領域に記憶するＲＡＭ２０８ｂと、血圧決定部２０９と、カフ圧をモニタするカフ圧モニタ２１２と、排気手段２０２の排気速度をモニタする排気速度モニタ２１３を有している。これらのモニタ結果も表示部１０４に表示される。
【００２０】
血圧決定部２０９は、前述の記憶呼出キー１０１、開始／停止キー１０２、切替スイッチ１０３、ＣＰＵ２１０、ＥＥＰＲＯＭ２１１、血圧判定手段２１４を備えている。このＥＥＰＲＯＭ２１１は複数のメモリ領域に分割されており、切替スイッチ１０３によって使用するメモリ領域が切り替えられ、そして、血圧測定結果がそれぞれのメモリ領域に格納されるようになっている。
【００２１】
ＣＰＵ２１０は、ＲＡＭ２０８ｂに記憶されたデータを適宜読出し、ＲＯＭ２０８ａに格納されている演算プログラムに従って比較演算する。また、ＣＰＵ２１０は記憶呼出キー１０１からの指示および切替スイッチの指定に基づいて、ＥＥＰＲＯＭ２１１の所定のメモリ領域から血圧測定結果を読み出して表示部１０４に表示する。また、開始／停止キー１０２からの指示に従って、ＣＰＵ２１０は血圧の測定を開始したり、停止したり等する。また、ＣＰＵ２１０等の演算用のクロック回路２１０ｂ、時計(日時・時刻)表示するためのクロック回路２１０ｃが設けられている。
【００２２】
血圧判定手段２１４は、ＣＰＵ２１０からの演算結果に基づいて最高、最低血圧値及び脈拍を判定し、その判定値を血圧測定結果としてＥＥＰＲＯＭ２１１の切替スイッチ１０３で指定されたメモリ領域に格納する。
【００２３】
血圧判定手段２１４における最高血圧判定は、動脈脈波値Ｖが動脈脈波値Ｖの最大値Ｖmaxに所定比率αを乗じた判定境界値Ｖａを最初に越え始める時期を最高血圧時期として
その時期のカフ圧値Ｐを最高血圧値と判定するように形成されている。なお、本実施形態にあっては、上記最高血圧判定は、ＲＡＭ２０８ｂに記憶されている動脈脈波値Ｖをカフ圧値Ｐの小さい順に判定境界値と比較し、所定の複数回数連続して動脈脈波値Ｖが大きくなる時期を最高血圧時期と判定する時期判定にて形成されている。
【００２４】
＜血圧計の動作について＞
以下、図５乃至図９を用いて血圧計の動作について説明する。なお、各図の動作を司っているのは、ＣＰＵ２１０である。
【００２５】
まず、図５のフローチャートを用いて、血圧計１００によって血圧を測定する際の加圧動作について説明する。
【００２６】
開始／停止キー１０２が押されていない状態、即ち、血圧測定していない状態でも表示部１０４に時刻（時分）が表示されている(図１０(ｎ)参照)。ステップＳ３０１で開始／停止キー１０２が押されると、直ぐにステップＳ３０２に移行し、そこでセルフチェック動作が行われる。このセルフチェック動作は、表示部１０４の確認のため全表示（図１０(ａ)参照）にし、液晶表示が正常か否かをチェクし、また時刻表示を消灯する。そして次のタイミングで排気マークを表示させて圧力をゼロにセットする（ゼロアジャスト動作；図１０(ｂ)参照）。ゼロアジャストが終了すると排気マークを消灯させ、処理がステップＳ３０３に移行する。なお、このセルフチェック動作は約４秒間行われる。
【００２７】
ステップＳ３０３では、加圧マークが表示部１０４に表示され(図１０(ｃ)参照)、カフに対する加圧動作が開始される。
【００２８】
ステップＳ３０４（表示部１０４の表示形態は、図１０(ｄ)参照）では、所定時間Ｔ１（例えば、５秒）加圧を継続し、Ｔ１時間経過後、ステップＳ３０５に移行し、その時点での圧力が１ｍｍＨｇ未満か否かが判断される。つまり、ここでは、加圧しているのにも拘わらず圧力が上がっていないか否かが判断される。圧力が１ｍｍＨｇ未満でない場合、つまり最低ラインの圧力はクリアしている場合には処理はステップＳ３０６に移行し、１ｍｍＨｇ未満である場合には処理はステップＳ３１１に移行する。
【００２９】
ステップＳ３０６において、さらに所定時間Ｔ２（例えば、２０秒）加圧を継続し、Ｔ２時間経過後、ステップＳ３０７においてその時点での圧力が５０ｍｍＨｇ未満か否かが判断される。圧力が５０ｍｍＨｇ未満であれば処理はステップＳ３１１に移行し、５０ｍｍＨｇ未満でなければ処理はステップＳ３０８に移行する。
【００３０】
ステップＳ３０８においては、加圧中の脈波（血管の振動の振幅）が検出され、さらに加圧値の演算され及び決定される。そして、ステップＳ３０９においてその加圧値が強制終了の条件に合致するか否かが判断される。圧力値が強制終了条件に合致する場合には、血圧測定動作自体が終了する（Ｂ）。強制終了条件に合致しない場合には、圧力値が正常ということで、処理はステップＳ３１０に移行し、加圧処理が終了する。ここで、強制終了条件とは、ステップＳ３０８で決定された加圧値が血圧測定するには低く過ぎたり（例えば、１４０ｍｍＨｇ未満）、高過ぎたり（例えば、３００ｍｍＨｇ）する場合である。なお、強制終了する場合には、強制終了の表示（マーク又は警告文言）を表示部１０４に表示してもよい。
【００３１】
ステップＳ３０５又はステップＳ３０７で「ＹＥＳ」の場合には、処理がステップＳ３１１に移行し、表示部１０４にエラー表示（例えば、ＥＲＲ；図１０(ｆ)参照）が表示される。そしてステップＳ３１２では、今まで加圧されてある程度膨らんだカフ１０５の加圧分の空気が排気される。その後（ステップＳ３１３で）、再計測する場合には処理はステップＳ３０１に戻り、再計測しない場合には血圧測定動作自体を終了する（Ｂ）。
【００３２】
＜血圧測定動作＞
続いて、血圧測定動作について図６のフローチャートを用いて説明する。
【００３３】
加圧処理が終了すると（Ａ）、ステップＳ４０１において減圧が開始される。減圧開始後、ステップＳ４０２では、脈波があるか否かが判断され、有ると判断された場合には、処理はステップＳ４０３に移行し、ないと判断された場合には処理はＳ４０５に移行する。
【００３４】
ステップＳ４０３においては、脈波があった場合にそれを示す「脈波マーク：例えばハートマーク」を表示部１０４に表示する。そして、ステップＳ４０４において、その脈波情報をＲＡＭ２０８ｂに格納する。
【００３５】
ステップＳ４０５では、今の圧力状態で充分か、つまり加圧不足か否かが判断され、加圧不足であると判断されると処理はステップＳ４１０に移行し、加圧不足でないと判断されれば処理はステップＳ４０６に移行する。
【００３６】
ステップＳ４０６では、最高血圧、最低血圧及び脈拍数が決定される。そして、ステップＳ４０７において、血圧値（最高／最低血圧値）、脈拍数、及び測定時刻が表示部１０４に測定結果として表示される（図１０(ｅ)参照）。
【００３７】
さらに、ステップＳ４０８で、測定された結果（最高・最低血圧値、脈拍）及び測定時刻がＥＥＰＲＯＭ２１１（切替スイッチ１０３で選択されているものに対応するメモリ領域）に格納される。
【００３８】
正常にステップＳ４０８までの動作が実行されれば、ステップＳ４０９でカフの空気が排気され、血圧測定処理が終了する。
【００３９】
なお、ステップＳ４０５で加圧不足の場合にはステップＳ４１０に移行するが、そこでは加圧値が３００ｍｍＨｇより大きいか否かが判断される。大きい場合にはエラー表示され（Ｓ４１４）、測定が終了する（Ｂ）。一方、小さい場合には、処理はステップＳ４１１に移行して再加圧される、ステップＳ４１２でさらに圧力が３３０ｍｍＨｇ以上か否かが判断される。３３０ｍｍＨｇ以上である場合には圧力が異常に高いため、ステップＳ４１４でエラー表示（図１０（ｇ）参照）され、測定が終了する。また、圧力が３３０ｍｍＨｇ未満の場合には、ステップＳ４１３で加圧処理が停止され（Ｃ）、再度脈波の有無の判断（Ｓ４０２）以降の処理が繰り返される。
【００４０】
以上のような血圧測定処理によって測定された測定結果は順次ＥＥＰＲＯＭ２１１の選択された領域に記憶される。
【００４１】
＜記憶データの表示動作について＞
続いて、図７のフローチャート及び図８の概念図を用いて、ＥＥＰＲＯＭに記憶された過去の測定データを表示する場合の処理について説明する。
【００４２】
ステップＳ５０１において、表示したいＥＥＰＲＯＭ２１１のメモリ領域が選択される。つまり、切替スイッチ１０３のＡかＢかの選択により、使用者Ａの測定データか又はＢの測定データかの選択がなされる。なお、前述の通り、使用態様により朝晩のデータの選択を行う等、使用者にとって様々な用法が考えられる。切替スイッチ１０３の数は、ＡＢの２つに限らず、それ以上であってもよいことは既に述べた。ここでは具体的にスイッチ「Ａ」（メモリ領域Ａ）が選択されたと想定する。
【００４３】
次にステップＳ５０２において、記憶呼出キー１０１が押されたか否かが判断され、押された場合にはステップＳ５０３において、メモリ領域Ａに測定データが記憶されているかが判断され、無い場合には終了する。
【００４４】
ステップＳ５０４では、メモリ領域Ａに記憶データがある場合には記憶値が表示される。最初の表示の場合で、かつ複数データが記憶されている場合には、その平均値が表示部１０４に表示される。  
【００４５】
そして、ステップＳ５０５において、記憶呼出キー１０１が所定時間（例えば、１８秒間）操作（押下）されなかったかが判断され、未操作のまま所定時間経過してしまった場合には表示部１０４上の表示が消去され、処理が終了する。
【００４６】
また、ステップＳ５０６において、所定時間経過前に、さらに記憶されているデータがあるか否かが判断され、無い場合には処理は終了するが、まだある場合にはステップ５０７でメモリ内のポインタがインクリメントされ、再度の記憶呼出キー１０１の操作と共に、新しいデータから順番に表示部に表示されるようにステップＳ５０２乃至Ｓ５０７の処理が繰り返される。
【００４７】
以上の処理を概念的に表した図が図８である。図８Ａに示されるように、メモリ領域Ａにはｎ個の測定データが記憶されている。また、メモリ領域Ａには複数個の測定データが記憶されているので、平均値が演算されてその値も記憶されている。一方、メモリ領域Ｂには１つの測定データのみが記憶されている。
【００４８】
メモリ領域Ａの測定データを表示する場合、最初の記憶呼出キー操作によって、平均値Ａｖが表示部１０４に表示される。次の記憶呼出キー操作によって、最新のデータ（１）から順に最古のデータ（ｎ）まで表示部１０４に表示される。そして、ｎまで表示されると、最初の平均値Ａｖに戻って表示される。
【００４９】
＜記憶データの消去動作について＞
図９は、ＥＥＰＲＯＭ２１１のメモリ領域に記憶されている測定データのうち、特定のデータのみを消去する動作を説明するフローチャートである。
【００５０】
ステップＳ６０１において、所定のメモリ領域（Ａ又はＢ）が選択されている場合に、記憶呼出キー１０１が操作されたことが検知される。なお、ここでは領域Ａが選択されているものとする。
【００５１】
続いてステップＳ６０２において、測定データが領域Ａにあるか否かが判断され、無い場合には当然処理は終了する。データがある場合には処理はステップＳ６０３に移行する。
【００５２】
ステップＳ６０３においては、ステップＳ６０１の記憶呼出キー１０１の操作が所定時間の（例えば、４秒間）長押しであるかが判断される。この長押し動作は、特定データ消去のトリガーとなるものである。長押しされた場合には処理は、ステップＳ６０７に移行し消去動作に入る。なお、最初の記憶呼出キー操作によって平均値Ａｖが表示部に表示されているので、この段階で長押しされれば、メモリ領域Ａに記憶されている全データの消去動作を行うことになる。このように、消去したいデータを使用者に選択させることができるので、不用意なデータの消去を防止できる。
【００５３】
ステップＳ６０４では、記憶されているデータ(最高血圧，最低血圧，脈拍，月日，時刻，データ記憶領域，記憶データ数)が表示される(図１０（ｈ），図１０（ｉ）のように最高血圧，最低血圧，脈拍，月日，データ記憶領域，記憶データ数をまとめた表示（図１０（ｈ）と、最高血圧，最低血圧，脈拍，時分，データ記憶領域，記憶データ数をまとめた表示（図１０（ｉ）が所定秒(例えば３秒)毎に交互に表示される。最初の表示内容は図８で示されるように平均値Ａｖ又は最新データ（データが１個しかない場合）である。そして、ステップＳ６０５において、表示されたデータがメモリ領域Ａに記憶されている最後のデータかが判断され、最後のデータの場合には処理は終了し、まだデータがある場合にはメモリのポインタがインクリメントされ（Ｓ６０６）、次のデータについての処理の準備がなされる。
【００５４】
このように、メモリ領域Ａに記憶されているデータのうち、消去したいデータが表示されるまでステップＳ６０１乃至Ｓ６０６の処理が繰り返される。
【００５５】
一方、消去したいデータが表示（図１０（ｌ）参照）されればステップＳ６０３で記憶呼出キー１０１が長押しされ、処理は消去動作に入る。長押しされると、現在表示中の測定データが点滅し始める（図１０（ｍ）参照）。この間もずっと長押しが継続されていなければならない。記憶呼出キー１０１が押されなくなると点滅が停止し、その場合、処理はステップＳ６０４に戻るようになっている。
【００５６】
ステップＳ６０７においては、この表示データ点滅状態で、消去の指示が使用者より入力されたかが判断される。使用者としては、例えば消去対象データを間違えた場合等には消去指示を入力することはないので、処理はステップＳ６０４に戻り、所望のデータが表示されるまでステップＳ６０１乃至Ｓ６０６の動作が繰り返される。ここで、消去の指示は、消去対象の表示データが点滅した状態が継続している間（例えば、８秒間）に記憶呼出キー１０１を押し続けながら開始／停止キー１０２を押すことである。このように消去すべき測定データを点滅表示させるのは、使用者に「消去する対象の測定データ」であることを喚起し、誤って消去してしまうような事態を防止するためである。
【００５７】
このような消去指示が入力されると、ステップＳ６０８でその表示中（点滅中）のデータが消去され、時刻（時分）のみの表示に戻る(図１０（ｎ）参照)。そして、消去動作自体が終了する。
【００５８】
なお、消去指示は上述の方法に限らない。つまり、長押しされて点滅表示が始まった場合、記憶呼出キー１０１を押しつづけなくても一旦点滅が始まれば点滅は停止されないようにし（点滅継続時間は設けても良い）、その状態で開始／停止キー１０２を押すことによってデータが消去されるようにしても良い。
【００５９】
また、記憶呼出キー１０１を押しつづけながら、点滅状態で開始／停止キー１０２を押して、さらにキー１０１と１０２を同時に離した場合にデータが表示されるようにしても良い。
【００６０】
さらに、図９には示されていないが、消去指示が入力されずに記憶呼出キー１０１のみが必要以上に長押しされた場合（例えば、１２秒間）には、消去の意思が無いものと見なして表示部１０４の表示を時刻表示に戻すようにしても良い。
【００６１】
以上のように、本実施形態によれば、測定データを、メモリ領域を用途に応じて切り替えて記憶するようにし、異常な測定結果が得られた場合等、特定の測定データのみを消去することができるので、また、従来の血圧計とは異なり、データを消去する場合には全測定データをしなければならないということは無いので、過去の測定データが無駄になることなく、使用者の使い勝手が非常に向上したものとなっている。
【００６２】
なお、測定データが異常であるかどうかの判断は基本的には使用者に委ねられるが、例えば、今までの測定平均値Ａｖよりも上下１０％の範囲を逸脱する場合にはその測定値は何らかの理由により正確に測定できなかったとして、測定データが異常であることを示す「異常マーク：例えば！マーク」を表示部１０４に表示して使用者に喚起するようにしてもよい。このような表示があれば、消去する際の消去対象の目安にもなるので便利である。  また、本実施形態に係るデータ消去方法は、本実施形態で示したオシロメトリック方式の血圧計のみならず、コロトコフ音式血圧計等、如何なる電子血圧計にも適用できるものである。
【００６３】
さらに、図１０（ｊ），図１０（ｋ）に示すように、血圧値の表示は、ｍｍＨｇだけでなく、ｋＰａ表示への切替も可能とすることができる。
【００６４】
＜その他＞
実施の形態の処理は、各機能を具現化したソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６５】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００６６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【００６７】
図１１は、本発明の血圧計の他の実施態様を示すもので、上述の実施例と異なる点は、標準電波(標準時分)の電波を受信して自動的に時刻を標準時分に調整する機能を備えたところである。このため、標準電波を受信するアンテナ、増幅器，検波器，復調器等を含む電波受信回路２１０ａを設けてある。他の構成は、図４の構成と同じであるので説明は割愛する。こうして、電波受信回路２１０ａを設け、血圧計１００に電波時計機能を持たせることにより、使用開始時に時刻設定する手間が省けるので使い勝手が格段に向上する。
【図面の簡単な説明】
【００６８】
【図１】従来の血圧計における表示部の表示の様子を示す図である。
【図２】本発明による血圧計１００を使用する様子を示す概念図である。
【図３】本発明による血圧計１００の外観を示す図である。
【図４】本発明による血圧計１００の構成を示すブロック図である。
【図５】本発明による血圧計１００における加圧処理を説明するためのフローチャートである。
【図６】本発明による血圧計１００における血圧測定処理を説明するためのフローチャートである。
【図７】本発明による血圧計１００における測定データ表示処理を説明するためのフローチャートである。
【図８】本発明による血圧計１００における表示の順番を説明するための概念図である。
【図９】本発明による血圧計１００における記憶された測定データの消去処理を説明するためのフローチャートである。
【図１０】本発明による血圧計１００における様々なステップに対応する表示部１０４の表示形態を示す図である。
【図１１】本発明による血圧計１００における他の実施例の構成を示すブロック図である。
【符号の説明】
【００６９】
１００  血圧計、１０１  記憶呼出キー、１０２  開始／停止キー、１０３  切替スイッチ、１０４  表示部、１０５  腕帯（カフ）、２１０ａ  電波受信回路
【手続補正２】
【補正対象書類名】図面
【補正対象項目名】全図
【補正方法】変更
【補正の内容】
【図１】
2005224440.tif 000023
【図２】
2005224440.tif 000024
【図３】
2005224440.tif 000025
【図４】
2005224440.tif 000026
【図５】
2005224440.tif 000027
【図６】
2005224440.tif 000028
【図７】
2005224440.tif 000029
【図８】
2005224440.tif 000030
【図９】
2005224440.tif 000031
【図１０】
2005224440.tif 000032
【図１１】
2005224440.tif 000033